【手続補正書】
【提出日】平成20年1月15日(2008.1.15)
【手続補正１】
【補正対象書類名】明細書
【補正対象項目名】請求項８
【補正方法】変更
【補正の内容】
【請求項８】  サービスを提供する側がネットワーク部であり、サービスを必要とする側が端末である、請求項６に記載の無線システム。
【手続補正２】
【補正対象書類名】明細書
【補正対象項目名】０００３
【補正方法】変更
【補正の内容】
【０００３】
一般用途向けの従来の無線システムは、回線交換技術に基づいている。この技術によって実現されるシステムでは、デバイス間の接続用にあるチャネルが予約される。このチャネルは接続時間中、チャネル上に連続したトラフィックがあるか否かによらず、デバイスにとって利用可能である。この解決法は、主に音声を伝送するシステムにおいては充分である。電気通信技術成長の必要性として、伝送接続はデータ転送にますます利用されるだろう。データ接続上で伝送されるトラフィックはしばしば非常にバースト的である。つまり、時には高速な転送処理能力が必要となる大量のデータが転送され、また時には、チャネル上にはトラフィックがほとんどない。このような接続にとって、パケット交換接続は容量の利用に関して非常に実用的な解決法である。パケット交換接続において、チャネルは接続時間中ずっと端末用に予約されているわけではなく、データの転送が必要な時だけ予約される。端末間接続の少なくともいくつかをパケットプロトコルを使って行うようにしたパケット交換トラフィックを利用する様々な無線システムが開発されてきた。このようなシステムの例がＧＰＲＳ（General Packet Radio System：汎用パケット無線システム）及び、これの改良されたバージョンであるＥＧＰＲＳ（Enhanced General Packet Radio System：拡張汎用パケット無線システム）である。
【手続補正３】
【補正対象書類名】明細書
【補正対象項目名】００１４
【補正方法】変更
【補正の内容】
【００１４】
セルラー無線ネットワークは一般的に固定ネットワークのインフラストラクチャ、すなわちネットワーク部４００、及び固定か、乗り物に設置されているか、或いは携帯される加入者端末４０２からなる。ネットワーク部４００は基地局４０４を有する。基地局は、前図のノードＢに相当する。数個の基地局４０４は、基地局 ４０４と通信を行う基地局制御器４０６が集中的に制御する。基地局４０４は送受信装置４０８及び多重制御装置４１２を有する。
【手続補正４】
【補正対象書類名】明細書
【補正対象項目名】００２２
【補正方法】変更
【補正の内容】
【００２２】
ゲートウェイノード４４４は公衆パケット転送ネットワーク４４６とパケット転送ネットワーク４４２とに接続し、そのインターフェースにはインターネット・プロトコル又はＸ．２５プロトコルが利用できる。ゲートウェイノード４４４はパケット転送ネットワーク４４２の内部構成をカプセル化することによって公衆パケット転送ネットワーク４４６から隠ぺいする。そのため、公衆パケット転送ネットワーク４４６はパケット転送ネットワーク４４２を、公衆パケット転送がパケットを送受信する加入端末４０２を有するサブネットワークであるとみなす。
【手続補正５】
【補正対象書類名】明細書
【補正対象項目名】００２６
【補正方法】変更
【補正の内容】
【００２６】
図４は送受信装置４０８のより詳細な構造を示す。受信機５００は、望ましい周波数帯外の周波数を阻止するフィルタを有する。この後、信号は中間周波数に、或いは直接ベースバンドに変換され、信号はアナログ／デジタル変換器５０２で抽出され量子化される。イコライザ５０４は干渉を、例えば、マルチパス伝送によって発生する干渉を補償する。復調器５０６はイコライズされた信号からビットフローを拾って、多重分離装置５０８に転送する。多重分離装置５０８は別々のタイムスロットのビットフローを別個の論理チャネルに分離する。チャネル・コーデック５１６は各論理チャネルのビットフローを復号、すなわち、ビットフロー全体が制御装置５１４に転送される信号情報を含んでいるか、或いは基地局４０６のトランスコーダ４２４に送られる音声を含んでいるかを判断する。チャネル・コーデック５１６はまたエラーを修正する。制御装置５１４はそれぞれの装置を制御して内部制御タスクを実行する。バースト・ジェネレータ５２８は、チャネル・コーデック５１６から受信したデータに、トレーニング・シーケンスとテール・ビットを付加する。多重制御装置５２６は各バーストのタイムスロットを指示する。変調器５２４はデジタル信号を無線周波搬送波に変調する。この機能はアナログなので、それを実行するにはデジタル／アナログ変換器５２２が必要である。送信機５２０は帯域幅を限定するフィルタを有し、転送出力を制御する。合成装置５１２は必要な周波数を各装置に提供する。合成装置５１２のクロックはローカルに、あるいは集中的にあるところから、例えば基地局制御装置５０６から制御可能である。合成装置５１２は、例えば電圧制御発振器を使用して必要な周波数を生成する。
【手続補正６】
【補正対象書類名】明細書
【補正対象項目名】００２９
【補正方法】変更
【補正の内容】
【００２９】
図５は、ＥＧＰＲＳのコントロール・プレーン・プロトコル・スタックを示すが、実施例はＥＧＰＲＳのみに限定されないことを注記すべきである。プロトコル・スタックは、ＩＳＯ（International Standardization Organization：国際標準化機構）のＯＳＩ参照モデル（Open systems Interconnection：開放型システム間相互接続）によって形成される。ＯＳＩモデルにおいてプロトコル・スタックは層に分割され、それは原則として７層である。図５は、各ネットワーク・エレメントにおいてどのプロトコル・セクションが処理されているかを示す。図中に示されたネットワーク・エレメントとは、加入端末ＭＳや基地局システムＢＳＳ、サポート・ノードＳＧＳＮ、ゲートウェイ・ノードＧＧＳＮである。基地局と基地局制御装置は、その間にインターフェースを定義していないため、別個に示されていない。原則として、基地局システムＢＳＳによって定義されるプロトコル処理は基地局４０４と基地局制御装置４０６間において自由に分離することができるが、実際は、トランスコーダ４２４が基地局システムＢＳＳに属しているにも関わらず、トランスコーダ４２４との間では分割されない。各々のネットワーク・エレメントは、基地局４０４と基地局制御装置４０６間のインターフェースＵｍ、Ｇｂ、Ｇｎによって分離される。
【手続補正７】
【補正対象書類名】明細書
【補正対象項目名】００３８
【補正方法】変更
【補正の内容】
【００３８】
一般手順の例はサービス要求と、サービス要求に対する応答である。二つのメッセージがこの手順のために定義される、すなわち「ＳＭ ＳＥＲＶＩＣＥ ＲＥＱＵＥＳＴ及びＳＭ ＳＥＲＶＩＣＥ ＲＥＳＰＯＮＳＥ」である。これらは好ましくは以下の形式を有する。
ＳＭ ＳＥＲＶＩＣＥ ＲＥＱＵＥＳＴ：｛ｐａｒａｍａｔｅｒｓ ｃｏｍｍｏｎ ｔｏ ｓｅｒｖｉｃｅｓ， ｓｅｒｖｉｃｅ−ｓｐｅｃｉｆｉｃ ｐａｒａｍｅｔｅｒｓ｝
ＳＭ ＳＥＲＶＩＣＥ ＲＥＳＰＯＮＳＥ：｛ｐａｒａｍａｔｅｒｓ ｃｏｍｍｏｎ ｔｏ ｓｅｒｖｉｃｅｓ， ｓｅｒｖｉｃｅ−ｓｐｅｃｉｆｉｃ ｐａｒａｍｅｔｅｒｓ｝
【手続補正８】
【補正対象書類名】明細書
【補正対象項目名】００４０
【補正方法】変更
【補正の内容】
【００４０】
サービス固有手順の例は通知方式で、例えば端末の位置情報サービスに必要とされる。通知方式は例えばＧＳＭシステムの位置決め処理に使用され、その対応手順は本解決法を使った接続にも当てはまる。通知方式は、例えばＧＳＭ ０３．７１：位置情報サービス（ＬＣＳ）；機能的説明−段落７．６．１中の第２ステージに記載されている。位置通知実行と位置通知戻り結果の二つのメッセージは個々に記載する。本発明の好ましい実施例による解決法では、論理状態はサービス情報の伝送を調整するためのセッション管理を定義する。その状態は、端末とネットワーク部とを別個に定義する。以下の状態は端末を定義する。
【手続補正９】
【補正対象書類名】明細書
【補正対象項目名】００４５
【補正方法】変更
【補正の内容】
【００４５】
ブロック６００からプロセスは開始する。ブロック６０２では、加入端末は、位置情報サービスを要求する要求メッセージ「ＳＭ ＳＥＲＶＩＣＥ ＲＥＱＵＥＳＴ」を無線ネットワーク、本例ではすなわち基地局システムＢＳＳを経由して、コア・ネットワーク、本例ではすなわちサポート・ノードＳＧＳＮに送信する。望ましくは、先行技術によるセキュリティ手順、例えば加入端末の認証、がこの後実行される。明確にするため、このようなセキュリティ手順はここには示されていない。
【手続補正１０】
【補正対象書類名】明細書
【補正対象項目名】００４６
【補正方法】変更
【補正の内容】
【００４６】
次に、メッセージに要求された位置情報サービスの少なくとも一つの機能がブロック６０４によって実行される。要求メッセージは以下の位置情報サービス機能に関する。すなわち加入者端末位置の測定、位置情報補助データの加入者端末への送信、位置情報補助データ復号のための暗号鍵の加入者端末への送信である。このような詳細はここでは無関係であり、より詳細には説明しない。